(57)【要約】【課題】従来のようなフック部とフランジ部がなく、取付けと取外しが簡単である上、見栄えも良い埋込型押釦スイッチ装置及びそのカバー装置を提供する。【解決手段】ほぼ平板体であって、その正面に押釦スイッチが配設されており、壁面に埋込設置する埋込ボックスに設けてある取付ねじ孔に対応する位置に取付用挿通孔がその正背両面を通すように設けてある取付枠と、ほぼ平板体であって、取付枠に面対面で被着して該取付枠の押釦スイッチ以外の部分を覆うことができ、且つ、その押釦スイッチに対応する位置にスルーホールがその正背両面を通すように形成されていて、被着の際、押釦スイッチがそこから露出することができるように構成されているカバーとからなる埋込型押釦スイッチ装置において、カバーに、取付ねじ孔と取付用挿通孔とに対応する位置に取付用挿着孔がその正背両面を通すように形成されており、また、その一端部が張出しになっていて頭部となり、他端部がねじ部となった直棒状のものであって、頭部が取付用挿着孔の周縁に止められて外に残ったままで、ねじ部を、取付用挿着孔と取付挿通孔とを次々に挿通してから取付ねじ孔とねじ合わせることができるように構成されているねじ手段と、頭部に付着させられるように構成されている装飾用部材とが備わっている。【選択図】図１
0003126252.tif 000002
【実用新案登録請求の範囲】
【請求項１】
ほぼ平板体であって、その正面に押釦スイッチが配設されており、壁面に埋込設置する埋込ボックスに設けてある取付ねじ孔に対応する位置に取付用挿通孔がその正背両面を通すように設けてある取付枠と、
ほぼ平板体であって、前記取付枠に面対面で被着して該取付枠の押釦スイッチ以外の部分を覆うことができ、且つ、その前記押釦スイッチに対応する位置にスルーホールがその正背両面を通すように形成されていて、前記被着の際、前記押釦スイッチがそこから露出することができるように構成されているカバーとからなる埋込型押釦スイッチ装置において、
前記カバーに、前記取付ねじ孔と前記取付用挿通孔とに対応する位置に取付用挿着孔がその正背両面を通すように形成されており、
また、その一端部が張出しになっていて頭部となり、他端部がねじ部となった直棒状のものであって、前記頭部が前記取付用挿着孔の周縁に止められて外に残ったままで、前記ねじ部を、前記取付用挿着孔と前記取付挿通孔とを次々に挿通してから前記取付ねじ孔とねじ合わせることができるように構成されているねじ手段と、前記頭部に付着させられるように構成されている装飾用部材とが備わっていることを特徴とする埋込型押釦スイッチ装置。
【請求項２】
前記ねじ手段は、磁気付着される材料から造られたものであり、
前記装飾用部材は、磁性があって前記ねじ手段の頭部に取外し容易に付着することができる磁性部と、該磁性部から延出していて前記付着時に前記ねじ手段の頭部を遮蔽することができる装飾部とからなるものであることを特徴とする請求項１に記載の埋込型押釦スイッチ装置。
【請求項３】
前記カバーは、前記スルーホールと前記取付用挿着孔とが設けてあり、且つその外表面に立体的な装飾用パターンが形成されているパネル部と、該パネル部の背面における周縁に沿って後ろへ突出してなっていて前記取付枠を周りから囲む周壁部とからなったことを特徴とする請求項１に記載の埋込型押釦スイッチ装置。
【請求項４】
前記カバーは、さらに、前記パネル部の正面における前記取付用挿着孔の周縁から前へと突出してなっていて前記ねじ手段における前記ねじ部が前記取付用挿着孔と前記取付挿通孔とを挿通してから前記取付ねじ孔とねじ合う時、前記ねじ手段における頭部と対抗して前記ねじ合いをしっかりさせる環形の突起部を有することを特徴とする請求項１に記載の埋込型押釦スイッチ装置。
【請求項５】
ほぼ平板体であって、その正面に押釦スイッチが配設されており、壁面に埋込設置する埋込ボックスに設けてある取付ねじ孔に対応する位置に取付用挿通孔がその正背両面を通すように設けてある取付枠に、前記押釦スイッチだけが露出するように被着して前記取付枠と共に埋込型押釦スイッチ装置を構成するための押釦スイッチ用のカバー装置であって、
ほぼ平板体であって、それに、前記押釦スイッチに対応する位置にスルーホールが、前記取付ねじ孔と前記取付用挿通孔とに対応する位置に取付用挿着孔がそれぞれその正背両面を通すように形成されているカバーと、
その一端部が張出しになっていて頭部となり、他端部がねじ部となった直棒状のものであって、前記頭部が前記取付用挿着孔の周縁に止められて外に残ったままで、前記ねじ部を、前記取付用挿着孔と前記取付挿通孔とを次々に挿通してから前記取付ねじ孔とねじ合わせることができるように構成されているねじ手段と、
前記頭部に付着させられるように構成されている装飾用部材とからなることを特徴とする埋込型押釦スイッチ用のカバー装置。
【請求項６】
前記ねじ手段は、磁気付着される材料から造られたものであり、
前記装飾用部材は、磁性があって前記ねじ手段の頭部に取外し容易に付着することができる磁性部と、該磁性部から延出していて前記付着時に前記ねじ手段の頭部を遮蔽することができる装飾部とからなるものであることを特徴とする請求項５に記載の埋込型押釦スイッチ用のカバー装置。
【請求項７】
前記カバーは、前記スルーホールと前記取付用挿着孔とが設けてあり、且つその外表面に立体的な装飾用パターンが形成されているパネル部と、該パネル部の背面における周縁に沿って後ろへ突出してなっていて前記取付枠を周りから囲む周壁部とからなったことを特徴とする請求項５に記載の埋込型押釦スイッチ用のカバー装置。
【請求項８】
前記カバーは、さらに、前記パネル部の正面における前記取付用挿着孔の周縁から突出してなっていて前記ねじ手段における前記ねじ部が前記取付用挿着孔と前記取付挿通孔とを挿通してから前記取付ねじ孔とねじ合う時、前記ねじ手段における頭部と対抗して前記ねじ合いをしっかりさせる環形の突起部を有することを特徴とする請求項５に記載の埋込型押釦スイッチ用のカバー装置。
【考案の詳細な説明】
【技術分野】
【０００１】
本考案は、例えば建物や家具などの壁面に埋込設置する埋込ボックスに配設する埋込型押釦スイッチ装置及びそのカバー装置に関するものである。
【０００２】
本考案は、２００５年８月１７日に提出された台湾出願番号０９４２１４０７２の優先権を主張し、その全体が参照により組み込まれるものである。
【背景技術】
【０００３】
従来のこの種の埋込型押釦スイッチ装置としては、例えば図５と図６に示されているようなものがある。このような埋込型押釦スイッチ装置２００を埋込ボックス６０に配設する場合に、ねじ７０を取付枠８０に設けてある取付用挿通孔８０１を挿通してから埋込ボックス６０に設けてある取付ねじ孔６０１とねじ合わせることにより、取付枠８０を埋込ボックス６０に固定した後、取付枠８０に配設してある押釦スイッチ８１をカバー９０に形成してあるスルーホール９２から露出させる上、カバー９０に形成してあるフック部９１と取付枠８０に形成してあるフランジ部８２とを係止させ、カバー９０を取付枠８０に被着させて固定し、埋込型押釦スイッチ装置２００を埋込ボックス６０に配設することができる。
【０００４】
しかし、上記のような埋込型押釦スイッチ装置２００は、押釦スイッチ８１の取替え又は修理のため、カバー９０を取付枠８０から取外す場合に、先に工具でフック部９１とフランジ部８２との係止を解除してから、ねじ７０を取付枠８０から取除いた後、取付枠８０又は押釦スイッチ８１の取外すことができるが、手間がかかる。また、フック部９１とフランジ部８２との係止関係は、正確且つ精密な製造によらなければならない上、その解除が工具によらなければできないので、何回の取付けと取外しの後に、緩んでなったり壊れたりしやすい恐れがある。それに、カバー９０の外形は単調で、壁面に装飾のデザインを欠けているという欠点がある。
【考案の開示】
【考案が解決しようとする課題】
【０００５】
前記欠点に鑑みて、本考案は、上記問題点を解消しようとするもので、取付けと取外しが簡単である上、見栄えも良い埋込型押釦スイッチ装置及びそのカバー装置を提供しようとすることをその目的とする。
【課題を解決するための手段】
【０００６】
上記目的を達成するために、本考案に係る埋込型押釦スイッチ装置は、ほぼ平板体であって、その正面に押釦スイッチが配設されており、壁面に埋込設置する埋込ボックスに設けてある取付ねじ孔に対応する位置に取付用挿通孔がその正背両面を通すように設けてある取付枠と、ほぼ平板体であって、取付枠に面対面で被着して該取付枠の押釦スイッチ以外の部分を覆うことができ、且つ、その押釦スイッチに対応する位置にスルーホールがその正背両面を通すように形成されていて、被着の際、押釦スイッチがそこから露出することができるように構成されているカバーとからなる埋込型押釦スイッチ装置において、カバーに、取付ねじ孔と取付用挿通孔とに対応する位置に取付用挿着孔がその正背両面を通すように形成されており、また、その一端部が張出しになっていて頭部となり、他端部がねじ部となった直棒状のものであって、頭部が取付用挿着孔の周縁に止められて外に残ったままで、ねじ部を、取付用挿着孔と取付挿通孔とを次々に挿通してから取付ねじ孔とねじ合わせることができるように構成されているねじ手段と、頭部に付着させられるように構成されている装飾用部材とが備わっていることを特徴とする。
【０００７】
本考案に係る埋込型押釦スイッチ用のカバー装置は、ほぼ平板体であって、その正面に押釦スイッチが配設されており、壁面に埋込設置する埋込ボックスに設けてある取付ねじ孔に対応する位置に取付用挿通孔がその正背両面を通すように設けてある取付枠に、押釦スイッチだけが露出するように被着して取付枠と共に埋込型押釦スイッチ装置を構成するための押釦スイッチ用のカバー装置であって、ほぼ平板体であって、それに、押釦スイッチに対応する位置にスルーホールが、取付ねじ孔と取付用挿通孔とに対応する位置に取付用挿着孔がそれぞれその正背両面を通すように形成されているカバーと、その一端部が張出しになっていて頭部となり、他端部がねじ部となった直棒状のものであって、頭部が取付用挿着孔の周縁に止められて外に残ったままで、ねじ部を、取付用挿着孔と取付挿通孔とを次々に挿通してから取付ねじ孔とねじ合わせることができるように構成されているねじ手段と、頭部に付着させられるように構成されている装飾用部材とからなることを特徴とする。
【０００８】
前記構成においては、ねじ手段は、磁気付着される材料から造られたものであり、装飾用部材は、磁性があってねじ手段の頭部に取外し容易に付着することができる磁性部と、該磁性部から延出していて付着時にねじ手段の頭部を遮蔽することができる装飾部とからなるものであることが好ましい。
【考案の効果】
【０００９】
前記構成のある本考案の埋込型押釦スイッチ装置は、ねじ手段だけにより、取付けができるので、取付けがより簡単である。また、カバーを取付枠から取外す場合に、ねじ手段を取除くという一ステップだけでできるので、取外しも単純化できる。そしてまた、ねじ手段の頭部に付着できる装飾用部材が備わっているので、それをねじ手段の頭部に付着させたら、ねじ手段の頭部を正面から遮蔽して装飾の効果を奏することができる。
【００１０】
さらに、本考案のカバー装置は、従来のようなフック部がないので、製造に簡単であるばかりでなく、使用寿命もより長く延びることができる。
【考案を実施するための最良の形態】
【００１１】
以下、本考案の好適な実施例を図面を参照して説明する。
【００１２】
図１は本考案の埋込型押釦スイッチ装置１００の一実施例の分解斜視図である。図２は図１に示した埋込型押釦スイッチ装置１００の一部を拡大して示す斜視図である。
【００１３】
図１に示すように、この例の埋込型押釦スイッチ装置１００は、壁面に埋込設置する埋込ボックス１０に配設されるものであり、主として、取付枠２０と、カバー３０と、ねじ手段４０と、装飾用部材５０とからなっている。
【００１４】
埋込ボックス１０は、従来から知られているものであるが、図１の一点鎖線に示すように、壁面に埋め込まれていて正面が開口になっている上、その開口縁部の左右両辺になる一対の短辺からそれぞれ取付ねじ孔１１１付きのシート１１が開口内へと互いに対向するように突出している。図示のは、２つの埋込ボックス１０が上下重なるように使用されているがその限りではない。
【００１５】
取付枠２０は、ほぼ平板体であって、その正面に複数の押釦スイッチ２１が配設されており、埋込ボックス１０の取付ねじ孔１１１に対応する位置にそれぞれ取付用挿通孔２０１がその正背両面を通すように設けてある。図示のように、取付用挿通孔２０１はそれぞれ上下に延び、且つ左右の巾も取付ねじ孔１１１の直径よりやや大になった長穴である。
【００１６】
カバー３０は、ほぼ平板体であって、取付枠２０に面対面で被着して該取付枠の押釦スイッチ以外の部分を覆うことができ、且つ、押釦スイッチ２１に対応する位置に複数のスルーホール３０１がその正背両面を通すように設けてある上、取付ねじ孔１１１と取付用挿通孔２０１とに対応する位置に複数の取付用挿着孔３０２がさらにその正背両面を通すように形成されている。図示のように、取付用挿着孔３０２もそれぞれ上下に延び、且つ左右の巾も取付ねじ孔１１１の直径よりやや大になった長穴である。
【００１７】
それにより、カバー３０は、面対面で取付枠２０に被着する際、押釦スイッチ２１がスルーホール３０１から露出するように取付枠２０の押釦スイッチ２１以外の部分を覆うことができる上、取付用挿着孔３０２と取付用挿通孔２０１とも併せて取付ねじ孔１１１と一致するようにさせることができる。
【００１８】
図示をもっと詳しくみると、カバー３０は、スルーホール３０１と取付用挿着孔３０２とが設けてあるパネル部３１と、パネル部３１の背面における周縁に沿って後ろへ突出してなっていて取付枠２０を周りから囲む周壁部３２とからなっている。また、パネル部３１の正面における取付用挿着孔３０２に環形の突起部３３がその周縁から前へと突出して形成されている。さらに、本例においては、パネル部３１の外表面に、立体的な装飾用パターン３１０が形成されている。
【００１９】
ねじ手段４０は、磁気付着される材料から造られた直棒状のものであり、その一端部が張出しになって頭部４１となっており、他端部がねじ部４２となっている。ねじ手段４０のねじ部４２が取付用挿着孔３０２と取付挿通孔２０１とを挿通してから取付ねじ孔１１１とねじ合う時、突起部３３はねじ手段４０の頭部４１と対抗してねじ合いをしっかりさせることができる（図４参照）。
【００２０】
装飾用部材５０は、磁性があってねじ手段４０の頭部４１に取外し容易に付着することができる磁性部５１と、該磁性部５１から延出していて付着時にねじ手段４０の頭部４１を遮蔽することができる装飾部５２とからなっている。本例においては、装飾部５２の外表面に立体的な装飾用パターン５２０が形成されている。
【００２１】
本考案の埋込型押釦スイッチ装置１００は埋込ボックス１０に配設される場合に、ねじ手段４０の頭部４１がカバーに形成してある取付用挿着孔３０２の周縁に止められて外に残ったままで、ねじ手段４０のねじ部４２が、カバー３０に形成してある取付用挿着孔３０２と取付枠２０に設けてある取付挿通孔２０１とを次々に挿通してから埋込ボックス１０に設けてある取付ねじ孔１１１とねじ合うことにより、カバー３０が取付枠２０に被着して取付枠２０と共に埋込ボックス１０に固定され、そして、装飾用部材５０の磁性部５１がねじ手段４０の頭部４１に付着させられると、埋込型押釦スイッチ装置１００は埋込ボックス１０に配設されることができる。
【００２２】
本考案の埋込型押釦スイッチ装置１００が埋込ボックス１０に配設された後、正面から見たら、図３に示すように、装飾用部材５０の装飾部５２はねじ手段４０の頭部４１を完全に遮蔽していると共に、装飾部５２の外表面と、カバー３０におけるパネル部３１の外表面とに、それぞれ立体的な装飾用パターン５２０、３１０が形成されているので、壁面に装飾の効果を奏することができる。
【００２３】
また、押釦スイッチ２１の取替え又は修理のため、カバー３０を取付枠２０から取外す場合に、ねじ手段４０の頭部４１に付着させられている装飾用部材５０を取外してからねじ手段４０を取除いた後、取付枠２０又は押釦スイッチ２１の取外すことが簡単にできる。
【００２４】
なお、本考案は以上の実施の形態に限定されることなく、種々変形が可能である。例えば、前記の例においては、装飾部の外表面に立体的な装飾用パターンが形成されているが、それを平面的な装飾用パターンに変えても良い。
【産業上の利用可能性】
【００２５】
本考案の埋込型押釦スイッチ装置は、ねじ手段だけにより、取付けができるので、取付けがより簡単である。また、カバーを取付枠から取外す場合に、ねじ手段を取除くという一ステップだけでできるので、取外しも単純化できる。
【００２６】
さらに、本考案のカバー装置は、従来のようなフック部がないので、製造に簡単であるばかりでなく、使用寿命もより長く延びることができる。
【図面の簡単な説明】
【００２７】
【図１】本考案の埋込型押釦スイッチ装置の一実施例の分解斜視図。
【図２】図１に示した同装置の一部を拡大して示す斜視図。
【図３】同装置は埋込ボックスに配設された後、カバーの正面からみた正面図。
【図４】図３における４−４線断面図。
【図５】従来の埋込型押釦スイッチ装置の分解斜視図。
【図６】図５に示した同装置の一部を拡大して示す斜視図。
【符号の説明】
【００２８】
１００．．埋込型押釦スイッチ装置
１０．．．埋込ボックス
１１．．．シート
１１１．．取付ねじ孔
２０．．．取付枠
２１．．．押釦スイッチ
２０１．．取付挿通孔
３０．．．カバー
３１．．．パネル部
３２．．．周壁部
３３．．．突起部
３０１．．スルーホール
３０２．．取付用挿着孔
４０．．．ねじ手段
４１．．．頭部
４２．．．ねじ部
５０．．．装飾用部材
５１．．．磁性部
５２．．．装飾部
【図１】
0003126252.tif 000003
【図２】
0003126252.tif 000004
【図３】
0003126252.tif 000005
【図４】
0003126252.tif 000006
【図５】
0003126252.tif 000007
【図６】
0003126252.tif 000008